(57)【要約】【課題】棚前面にタグモールを装備している商品棚に対し、同一仕様のホルダーを共通部品として電子棚札の取付角度を２段階に可変設定して簡単に着脱できるようにした利便性の高い電子棚札取付装置を提供する。【解決手段】商品棚５の前縁に沿って布設したタグモール６に棚札ホルダー９を係止固定した上で、この棚札ホルダー９に電子棚札８を装着するようにし、ここで棚札ホルダー９のホルダー本体９ａが断面コ字形のレール枠体になり、かつ該本体ケース９ａの背面には上下に位置をずらして背後に突出す二組の係合アーム片９ｂ，９ｃを設け、そのいずれか一方を選択して棚札ホルダー９を異なる取付角度でタグモール６に係止固定するようにする。また、本体ケース９ａの開口端部の上下端縁に沿ってスナップフィット結合式の係合爪９ｄを形成して、前方から押込んだ電子棚札８を指定の装着位置に係止固定する。【選択図】図１
2012011043.tif 000002
【特許請求の範囲】
【請求項１】
棚板の前端に沿ってタグモールを装備した商品棚に対し、前記タグモールの前面に電子棚札専用の棚札ホルダーを取付けた上で、該棚札ホルダーに電子棚札を装着するようにした商品棚の電子棚札取付装置において、
前記棚札ホルダーの背面には、突出し位置を上下にずらして前記商品棚のタグモールに係止する二組の係合アーム片を設け、その係合アーム片を選択して棚札ホルダーを異なる取付角度でタグモールに係止固定するようにしたことを特徴とする商品棚の電子棚札取付装置。
【請求項２】
請求項１に記載の電子棚札取付装置において、棚札ホルダーの背面に設けた各組の係合片は、先端に鉤状の係合爪を形成して棚札ホルダーに一体成形した上下一対のアーム片からなり、前記係合爪部を商品棚のタグモールの上下端の係合縁部に引っ掛けて係止固定したことを特徴とする商品棚の電子棚札取付装置。
【請求項３】
請求項１または２に記載の電子棚札取付装置において、棚札ホルダーの本体が電子棚札の外形サイズに対応して前面を開放した断面コ字形のレール体になり、その開口端部の上下端縁に沿って電子棚札を装着位置に係止保持するスナップフィット式の結合爪を設けたことを特徴とする商品棚の電子棚札取付装置。
【発明の詳細な説明】
【技術分野】
【０００１】
この発明は、ショーケースの庫内商品棚などを対象に、その商品棚の前面に電子棚札を装着するための電子棚札取付装置に関する。
【背景技術】
【０００２】
最近では、スーパーマーケットなどのＰＯＰシステムとして、店内に設置したショーケースなどの商品棚に陳列する商品の価格，内容情報をディジタル表示するようにした電子棚札システムが普及するようになっている。
【０００３】
この電子棚札システムでは、「電子棚札」と称する電子タグ（「電子値札」，「電子ラベル」，「ディジタル表示器」とも称する）を商品の陳列に合わせて商品棚の前面に取付けて表示するようにしており、その取付け方法に関しては従来から種々な機構の取付装置が提案されている。
【０００４】
この場合に、ショーケースには庫内に配した商品棚の前端にタグモールと称するレール状の表示板を配備し、このタグモールにプライスカード（値札）を差込み式に表示するようにしている（例えば、特許文献１参照）。そこで、このタグモールを利用して電子棚札を取り付けるため取付装置として、タグモールの前面に固定した取付部品を介して電子棚札専用のホルダー（タグモールと同じ長さの断面コ字形レール）を取付け、このホルダーに電子棚札を装着するようにした電子棚札の取付装置が知られている（例えば、特許文献２参照）。なお、この取付装置においては、電子棚札をホルダーの側方からレールに差し込んで所望の位置にて装着するようにしており、またこのホルダーに装着した電子棚札はそのディスプレイ（液晶画面）が略正面を向いている。
【０００５】
また、前記の特許文献１と異なる方式の電子棚札取付装置として、電子棚札を装着するレール部材（ショーケースの棚フェンス支持部材を兼用）を、その背面側に突出した支持脚を介して商品棚の前縁（タグモール無し）に直接係止固定するようにし、ここで前記支持脚の形状を変えことで前記レール部材の取付角度を異なる角度に設定するようにした電子棚札の取付装置も知られている（例えば、特許文献３参照）。
【先行技術文献】
【特許文献】
【０００６】
【特許文献１】特開２００９−１７８３４７号公報
【特許文献２】特開２００１−３１２２２１号公報
【特許文献３】特開２００７−７５５４５号公報（図２、図３）
【発明の概要】
【発明が解決しようとする課題】
【０００７】
ところで、先記した特許文献２，特許文献３に開示されている電子棚札取付装置は、商品棚への着脱，取扱い性で次記のような課題が残る。すなわち、
（１）特許文献１の電子棚札取付装置は、ホルダーに装着した電子棚札が正面を向いてその取付角度が調整できないため、多段式ショーケースのように庫内に配した上下各段の商品棚に電子棚札を取付ける場合に、ショーケースの前に立つ客の目線よりも低い庫内の下段側に並ぶ棚に取付た電子棚札の表示が見え難くなる難点がある。そのほか、取付装置の構造が複雑で部品点数も多く、製作コストが高くなる。
（２）また、特許文献２の電子棚札取付装置は、商品棚の前面にタグモールを備えている既存のショーケースにはそのまま適用できない。そのほか、電子棚札の取付姿勢について、庫内の上段側と下段側の商品棚に装着する電子棚札の向き（取付角度）を変える場合には、支持脚の形状が異なる２種類のホルダー部品を用意する必要がある。
【０００８】
この発明は上記の点に鑑みなされたものであり、その目的は構造，着脱操作が簡単で、しかもショーケースなどのように棚の前面にタグモールを装備している商品棚に対し、同一仕様のホルダーを共通部品として電子棚札の取付角度を商品棚の高さに合わせて２段階に可変設定して簡単に着脱できるように改良した利便性の高い電子棚札取付装置を提供することにある。
【課題を解決するための手段】
【０００９】
上記目的を達成するために、この発明によれば、棚板の前端に沿ってタグモールを装備した商品棚に対し、前記タグモールの前面に電子棚札専用の棚札ホルダーを取付けた上で、該棚札ホルダーに電子棚札を装着するようにした商品棚の電子棚札取付装置において、
前記棚札ホルダーの背面には、突出し位置を上下にずらして前記商品棚のタグモールに係止する二組の係合片を設け、その係合片のいずれか一方を選択して棚札ホルダーを異なる取付角度でタグモールに係止固定するようにし（請求項１）、具体的には棚札ホルダー次記のような態様で構成するものとする。
（１）前記棚札ホルダーの背面に設けた各組の係合片は、その先端に鉤状の係合爪を形成して棚札ホルダーに一体成形した上下一対のアーム状片からなり、前記係合爪部を商品棚のタグモールの上下端の係合縁部に引っ掛けて係止固定する（請求項２）。
（２）前記棚札ホルダーの本体が電子棚札の外形サイズに対応して前面を開放した断面コ字形のレール枠になり、その開口端部の上下端縁に沿って電子棚札を装着位置に係止保持するスナップフィット式の結合爪を設ける（請求項３）。
【発明の効果】
【００１０】
上記構成によれば、商品棚の前部に装備されているタグモールを利用して棚札ホルダーを簡単な操作で商品棚に着脱することができる。しかも、この棚札ホルダーの背面に設けた二組の係合片を選択してタグモールに係止固定することで値札ホルダーの取付角度を２段階に可変設定でき、これにより同じ値札ホルダーを共用部品として、商品棚の上段側，下段側に並ぶ棚に取付ける電子棚札の姿勢を、その表示画面が見易い向きに設定できて利便性が向上する。
【００１１】
また、棚札ホルダーに装着する電子棚札をスナップフィット結合するようにしたことにより、棚札ホルダーに対して電子棚札を前方から押し込むだける簡単な操作で、所望の取付位置に装着セットすることができる。
【図面の簡単な説明】
【００１２】
【図１】この発明の実施例による電子棚札取付装置の構成図であって、（ａ），（ｂ）はそれぞれ異なる取付角度にセットした状態を表す側面図である。
【図２】図１の電子棚札取付装置を装備したショーケースの商品棚の全体図であって、（ａ），（ｂ）はそれぞれ図１（ａ），（ｂ）に対応する棚の側面図である。
【図３】電子棚札取付装置を適用するショーケースの構成図であって、（ａ）はショーケース全体の断面側視図、（ｂ）は（ａ）における棚の前部拡大図である。
【発明を実施するための形態】
【００１３】
以下、この発明の実施の形態を図１〜図３に基づいて説明する。まず、電子棚札システムを適用する商品棚の例として、店内に設置したショーケース（冷気循環式のオープンショーケース）の構成を図３（ａ），（ｂ）に示す。図において、１は断熱筐体になる前面開放形の本体ケース、２は本体ケース１の外箱と内箱との間に画成した冷気循環ダクト、３は冷却器（エバポレータ）、４は本体ケース１の底部に配したファン、５は上下段に並べて庫内に配置した商品棚であり、該商品棚５の前端にはその長手方向（棚幅）に沿ってタグモール６，およびタグモール６の背後に棚フェンス７が設置されている。ここで、タグモール６は樹脂成形品（押出成形品）になり、その前面は湾曲状の凹面を呈し、その上下端には鍔状の係合縁部６ａ，６ｂを形成してこの間にプライスカード（値札）を差込み保持するようにしている。
【００１４】
次に、前記ショーケースの商品棚５に付設したタグモール６を利用して、ここに電子棚札を表示位置に装着する電子棚札取付装置の構造を図１，図２に示す。各図において、８は電子棚札、９は前記商品棚５のタグモール６の前面に係止固定した棚札ホルダーであり、次記のように棚札ホルダー９を商品棚５のタグモール６に結合した上で、電子棚札８を棚札ホルダー９に装着する。
【００１５】
次に、棚札ホルダー９の詳細構造を説明する。すなわち、棚札ホルダー９は、電子棚札８の外形サイズに対応した断面コ字形のレール枠になるホルダー本体９ａに対し、その背面側に第１の係合アーム片９ｂ，および第２の係合アーム片９ｃからなる２組の係合アーム片を突き出し形成した硬質樹脂の押出成形品で作られたもので、その長さは商品棚５のタグモール６と略同じ長さとする。
【００１６】
ここで、第１の係合アーム片９ｂは間隔を隔てて上下に並ぶ一対の係合アーム９ｂ−１，９ｂ−２を組とし、また第２の係合アーム片９ｃは前記第１の係合アーム片９ｂから上方に相対位置をずらして上下に並ぶ一対の係合アーム９ｃ−１，９ｃ−２を組として構成し、各組の係合アーム９ｂ−１，９ｂ−２および９ｃ−１，９ｃ−２の先端には、それぞれ商品棚５のタグモール６の上下端に形成した係合縁部６ａ，６ｂに掛け止めする鉤形の係合爪が形成されている。
【００１７】
また、前記係合アーム９ｂ−１，９ｂ−２および９ｃ−１，９ｃ−２の突出し長さについては、図１（ａ）で示すように第１の係合アーム片９ｂをタグモール６の係合縁部６ａ，６ｂに係止した状態では、棚札ホルダー９のホルダー本体９ａが正面を向くような長さに設定する。一方、図１（ｂ）で示すように第２の係合アーム片９ｃをタグモール６に係止した状態では、棚札ホルダー９のホルダー本体９ａが斜め上方（例えば、水平に対する傾斜角度：４０度）を向くようにアーム長さを設定している。
【００１８】
そのほか断面コ字形のレール枠体になる前記のホルダー本体９ａについては、その開口端部の上下端縁に沿ってスナップフィット結合式の係合爪９ｄが形成されている。なお、図示構造のホルダー本体９ａは、その上面および底面側にクリップ９ｅを一体成形して、商品の広告シートなどを挟み込んで保持するようにしている。
【００１９】
次に、商品棚５のタグモール６に前記の棚札ホルダー９を係止固定して電子棚札８を所定の表示位置に装着する手順について述べる。まず、図３に示したショーケースの庫内上段側に並ぶ商品棚５に対しては、図１（ａ）のように第１の係合アーム片９ｂを前方から押し込んでタグモール６に掛け止めした上で、電子棚札８を指定の表示位置に合わせて前方からホルダー本体９ａの開口部に押し込む。これにより、電子棚札８はその外郭ケースの周面に形成されている凹溝８ａにホルダー本体９ａの上下縁に形成した係合爪９ｄが嵌まり込んでこの位置にスナップフィット結合される。
【００２０】
また、ショーケースの下段側に並ぶ商品棚５に対しては、図１（ｂ）のように第２の係合アーム片９ｃを選択してタグモール６に掛け止めした上で、ホルダー本体９ａに前記と同じ手順で前方から押し込んで装着する。
【００２１】
一方、清掃などのために商品棚５から棚札ホルダー９を外す場合には、次記の手順により簡単に取り外すことができる。すなわち、図１（ａ）の取付け状態では、ホルダー本体９ａから背後に突き出した係合アーム９ｂ−１の上面に指先を当てて下方に押し下げる。これにより、係合アーム９ｂ−２が撓んでその先端の係合爪がタグモール６の係合縁部６ａから外れるので、そのまま手前に引くことで離脱する。また、図１（ｂ）の取付状態では、前記とは逆に下方から係合アーム９ｃ−２を押しながら手前に引くことで係合を解除できる。
【符号の説明】
【００２２】
５    商品棚
６    タグモール
６ａ，６ｂ  係合縁部
８    電子棚札
９    棚札ホルダー
９ａ  ホルダー本体
９ｂ  第１の係合アーム片
９ｂ−１，９ｂ−２  係合アーム
９ｃ  第２の係合アーム片
９ｃ−１，９ｃ−２  係合アーム
９ｄ    スナップフィット結合の係合爪
【図１】
2012011043.tif 000003
【図２】
2012011043.tif 000004
【図３】
2012011043.tif 000005